(57)【要約】【目的】線傷が少ない画像を得る。【構成】ディジタル・スチル・カメラの製造時において，基準被写体がＣＣＤを用いて撮像され，異なる駆動パターンＡ〜ＮでＣＣＤの垂直転送路が駆動させられる。異なる駆動パターンＡ〜Ｎごとに得られる被写体像から線傷が検出される。検出された線傷が少なくなるような駆動パターンがディジタル・スチル・カメラに記憶される。ユーザが撮像する場合には，被写体が撮像されると記憶された駆動パターンによってＣＣＤの垂直転送路が駆動させられる。線傷の少ない被写体像が得られる。【選択図】図３
2007312264.tif 000002
【特許請求の範囲】
【請求項１】
行方向および列方向に配列された多数の光電変換素子，上記光電変換素子の各列に隣接して設けられ，かつ与えられる垂直転送パルスにもとづいて駆動されることにより上記光電変換素子に蓄積された信号電荷を垂直方向に転送する垂直転送路，および上記垂直転送路から転送させられた信号電荷を，与えられる水平転送パルスにもとづいて水平方向に転送する水平転送路を含む固体電子撮像素子，
上記垂直転送路における信号電荷の垂直転送動作と停止動作とを繰返すように上記垂直転送路に垂直転送パルスを与え，かつ上記水平転送路に水平転送パルスを与える駆動回路，
上記水平転送路から出力される信号電荷から得られる映像信号によって表される画像にもとづいて決定される，上記駆動回路における上記垂直転送路の駆動パターンを記憶する駆動パターン記憶回路，ならびに
上記駆動パターン記憶回路に記憶されている駆動パターンとなるような垂直転送パルスを上記垂直転送路に与えるように上記駆動回路を制御する制御回路，
を備えた固体電子撮像装置の制御装置。
【請求項２】
上記制御回路によって上記駆動回路が制御されることにより上記固体電子撮像素子から出力された映像信号によって表される被写体像に含まれる線傷の位置を表すデータを記憶する線傷位置記憶回路をさらに備えた請求項１に記載の固体電子撮像装置の制御装置。
【請求項３】
上記駆動パターン記憶回路が，上記水平転送路から出力された信号電荷から得られる映像信号によって表される画像にもとづいて決定される，上記駆動回路における上記垂直転送路の駆動パターンをＩＳＯ感度に対応して記憶するものであり，
ＩＳＯ感度の設定手段をさらに備え，
上記制御回路が，上記駆動パターン記憶回路に記憶されている駆動パターンのうち，上記ＩＳＯ感度設定手段によって設定されたＩＳＯ感度に対応した駆動パターンとなるような垂直転送パルスを上記垂直転送路に与えるように上記駆動回路を制御するものである，
請求項１に記載の固体電子撮像装置の制御装置。
【請求項４】
行方向および列方向に配列された多数の光電変換素子，上記光電変換素子の各列に隣接して設けられ，かつ与えられる垂直転送パルスにもとづいて駆動されることにより上記光電変換素子に蓄積された信号電荷を垂直方向に転送する垂直転送路，および上記垂直転送路から転送させられた信号電荷を，与えられる水平転送パルスにもとづいて水平方向に転送する水平転送路を含む固体電子撮像素子を備えた固体電子撮像装置の制御方法において，
駆動回路が，上記垂直転送路における信号電荷の垂直転送動作と停止動作とを繰返すように上記垂直転送路に垂直転送パルスを与え，かつ上記水平転送路に水平転送パルスを与え，
駆動パターン記憶回路が，上記水平転送路から出力される信号電荷から得られる映像信号によって表される画像にもとづいて決定される，上記駆動回路における上記垂直転送路の駆動パターンを記憶し，
制御回路が，上記駆動パターン記憶回路に記憶されている駆動パターンとなるような垂直転送パルスを上記垂直転送路に与えるように上記駆動回路を制御する，
固体電子撮像装置の制御方法。
【発明の詳細な説明】
【技術分野】
【０００１】
この発明は，固体電子撮像装置の制御装置およびその制御方法に関する。
【背景技術】
【０００２】
ＣＣＤなどの固体電子撮像素子においては，フォトダイオードに蓄積された信号電荷は，垂直転送路を介して水平転送路に転送させられて出力される。信号電荷が水平転送路を転送されている間は垂直転送路における信号電荷の垂直転送は停止している（待機状態）。垂直転送路における信号電荷の垂直転送が停止している間に，垂直転送路に形成されたポテンシャル井戸に信号電荷が漏れることがあり，この漏れが被写体像に輝点の列のように現れることがある（いわゆる線傷）。このような線傷を少なくするために，垂直転送バリアの箇所を少なくするものや（特許文献１），線傷を補正するものがある（特許文献２）。
【特許文献１】特開2004-200592号公報
【特許文献２】特開2004-23683号公報
【０００３】
しかしながら，いまだ線傷を少なくすることは困難なことがある。
【発明の開示】
【０００４】
この発明は，線傷を少なくすることを目的とする。
【０００５】
この発明による固体電子撮像装置の制御装置は，行方向および列方向に配列された多数の光電変換素子，上記光電変換素子の各列に隣接して設けられ，かつ与えられる垂直転送パルスにもとづいて駆動されることにより上記光電変換素子に蓄積された信号電荷を垂直方向に転送する垂直転送路，および上記垂直転送路から転送させられた信号電荷を，与えられる水平転送パルスにもとづいて水平方向に転送する水平転送路を含む固体電子撮像素子，上記垂直転送路における信号電荷の垂直転送動作と停止動作とを繰返すように上記垂直転送路に垂直転送パルスを与え，かつ上記水平転送路に水平転送パルスを与える駆動回路，上記水平転送路から出力される信号電荷から得られる映像信号によって表される画像にもとづいて決定される，上記駆動回路における上記垂直転送路の駆動パターンを記憶する駆動パターン記憶回路，ならびに上記駆動パターン記憶回路に記憶されている駆動パターンとなるような垂直転送パルスを上記垂直転送路に与えるように上記駆動回路を制御する制御回路を備えていることを特徴とする。
【０００６】
この発明は，上記固体電子撮像装置の制御装置に適した制御方法も提供している。すなわち，行方向および列方向に配列された多数の光電変換素子，上記光電変換素子の各列に隣接して設けられ，かつ与えられる垂直転送パルスにもとづいて駆動されることにより上記光電変換素子に蓄積された信号電荷を垂直方向に転送する垂直転送路，および上記垂直転送路から転送させられた信号電荷を，与えられる水平転送パルスにもとづいて水平方向に転送する水平転送路を含む固体電子撮像素子を備えた固体電子撮像装置の制御方法において，駆動回路が，上記垂直転送路における信号電荷の垂直転送動作と停止動作とを繰返すように上記垂直転送路に垂直転送パルスを与え，かつ上記水平転送路に水平転送パルスを与え，駆動パターン記憶回路が，上記水平転送路から出力される信号電荷から得られる映像信号によって表される画像にもとづいて決定される，上記駆動回路における上記垂直転送路の駆動パターンを記憶し，制御回路が，上記駆動パターン記憶回路に記憶されている駆動パターンとなるような垂直転送パルスを上記垂直転送路に与えるように上記駆動回路を制御するものである。
【０００７】
この発明によると，固体電子撮像素子の水平転送路から出力される信号電荷から得られる映像信号によって表される画像にもとづいて垂直転送路の駆動パターンが決定される。たとえば，画像に線傷が少なくなるような垂直転送路の駆動パターンが決定される。決定された駆動パターンが記憶され，そのような駆動パターンとなるように垂直転送パルスが垂直転送路に与えられる。記憶されている駆動パターンで垂直転送路が駆動させられることにより，固体電子撮像素子を用いて撮像することにより得られた画像は線傷が少ないものとなる。
【０００８】
上記制御回路によって上記駆動回路が制御されることにより上記固体電子撮像素子から出力された映像信号によって表される被写体像に含まれる線傷の位置を表すデータを記憶する線傷位置記憶回路をさらに備えてもよい。
【０００９】
上記駆動パターン記憶回路は，上記水平転送路から出力された信号電荷から得られる映像信号によって表される画像にもとづいて決定される，上記駆動回路における上記垂直転送路の駆動パターンをＩＳＯ感度に対応して記憶するものでもよい。この場合，ＩＳＯ感度の設定手段をさらに備え，上記制御回路は，上記駆動パターン記憶回路に記憶されている駆動パターンのうち，上記ＩＳＯ感度設定手段によって設定されたＩＳＯ感度に対応した駆動パターンとなるような垂直転送パルスを上記垂直転送路に与えるように上記駆動回路を制御するものとなろう。
【実施例】
【００１０】
図１は，この発明の実施例を示すもので，ＣＣＤの模式図である。
【００１１】
行方向および列方向に多数のフォトダイオード（光電変換素子）２が配列されている。フォトダイオード２の各列の右側にはトランスファ・ゲート３を介して垂直転送路４が設けられている。この垂直転送路４の下端には水平転送路５が設けられている。水平転送路５の左端には出力増幅回路６が接続されている。
【００１２】
フォトダイオード２が露光されることにより，フォトダイオード２に信号電荷が蓄積される。フォトダイオード２に蓄積された信号電荷は，トランスファ・ゲート３にトランスファ・ゲート・パルスが与えられることにより，垂直転送路３にシフトされる。
【００１３】
この実施例においては，垂直転送路４は，垂直転送電極Ｖ１〜Ｖ４が周期的に形成されている４極構造となっており，この垂直転送電極Ｖ１〜Ｖ４に垂直転送パルスφＶ１〜φＶ４が与えられることにより，信号電荷が水平転送路５に向かって垂直方向（行方向）に転送させられていく。信号電荷は，垂直転送路４から水平転送路５に与えられる。水平転送路５に水平転送パルスφＨが与えられることにより，信号電荷は水平方向（列方向）に転送させられる。信号電荷は，出力増幅回路６を介して映像信号として出力される。
【００１４】
図２は，垂直転送路４内を信号電荷が転送させられる様子を示している。
【００１５】
上述したように，垂直転送路４は，４極構造であり，垂直転送電極Ｖ１〜Ｖ４が周期的に形成されている。垂直転送電極Ｖ１〜Ｖ４に垂直転送パルスφＶ１〜φＶ４が与えられることにより，垂直転送路４に電位井戸８が形成され，電位井戸８に蓄積されている信号電荷（−符号で示す）が水平転送路５に転送されていく。
【００１６】
時刻ｔ１において，垂直転送電極Ｖ２〜Ｖ４に垂直転送パルスφＶ２〜φＶ４が与えられることにより，垂直転送電極Ｖ２〜Ｖ４の下に電位井戸８が形成され，信号電荷が蓄積される。時刻ｔ２において，垂直転送電極Ｖ３およびＶ４に垂直転送パルスφＶ２およびφＶ４が与えられることにより，電位井戸８は，垂直転送電極Ｖ３およびＶ４下に移動し，信号電荷も移動する。同様にして，時刻ｔ３において，垂直転送電極Ｖ３，Ｖ４およびＶ１に垂直転送パルスφＶ３，φＶ４およびφＶ１が与えられ，時刻ｔ４において，垂直転送電極Ｖ４およびＶ１に垂直転送パルスφＶ４およびφＶ１が与えられ，時刻ｔ５において，垂直転送電極Ｖ４，Ｖ１およびＶ２に垂直転送パルスφＶ４，φＶ１およびφＶ２が与えられる。
【００１７】
さらに，時刻ｔ６において，垂直転送電極Ｖ１およびＶ２に垂直転送パルスφＶ１およびφＶ２が与えられ，時刻ｔ７において，垂直転送電極Ｖ１〜Ｖ３に垂直転送パルスφＶ１〜φＶ３が与えられ，時刻ｔ８において，垂直転送電極Ｖ２およびＶ３が与えられる。時刻ｔ９において，再び垂直転送電極Ｖ２〜Ｖ４に垂直転送パルスφＶ２〜φＶ４が与えられる。
【００１８】
このように，垂直転送電極Ｖ１〜Ｖ４に垂直転送パルスφＶ１〜φＶ４が与えられることにより，信号電荷が垂直転送路４内を垂直方向に転送させられていく。
【００１９】
図２に示す例では，時刻ｔ９において水平ブランキング期間（ＨＤ）が開始される。すると，垂直転送路４における信号電荷の垂直転送が一時的に停止させられる。水平転送路５に蓄積されている信号電荷が出力される。
【００２０】
時刻ｔ11となると，水平ブランキング期間が終了し，垂直転送路４における信号電荷の垂直転送が再び開始する。時刻ｔ11，ｔ12等において垂直転送パルスφＶ１〜φＶ４が垂直転送電極Ｖ１〜Ｖ４に与えられることにより，信号電荷が垂直方向に転送させられる。
【００２１】
時刻ｔ９から時刻ｔ11までの垂直転送路４の待機状態においては電位井戸８に信号電荷が漏れてしまうことがある。この漏れによって被写体像にいわゆる線傷が生じる。信号電荷の漏れは，時刻ｔ９における待機状態の開始時刻における電位井戸８の形状，深さなどに依存する。このために，この実施例においては，様々な駆動パターン（待機状態における電位井戸８の形状，深さ）によって垂直転送路４を駆動して，線傷が少なくなるような駆動パターンを見つけ，見つけられた駆動パターンを用いて垂直転送路４を駆動するものである。
【００２２】
図３は，４極の垂直転送電極Ｖ１〜Ｖ４が形成されている場合の垂直転送路４の駆動パターンの一例である。
【００２３】
４極の垂直転送電極Ｖ１〜Ｖ４が形成されている場合，図３に示すように，駆動パターンＡ〜Ｎまでの14種類の駆動パターンが考えられる。これらの駆動パターンＡ〜Ｎによって形成される電位井戸８が待機状態での状態を示している。
【００２４】
これらの駆動パターンＡ〜Ｎによって形成される電位井戸８の大きさは異なっており，蓄積可能な信号電荷の量も変わる。駆動パターンＡ〜Ｄでは，比較的大きな電位井戸８が形成されており，比較的多くの量の信号電荷を蓄積することができる。駆動パターンＥ〜ＨならびにＭおよびＮでは，中くらいの大きさの電位井戸８が形成されており，通常の量の信号電荷を蓄積することができる。駆動パターンＩ〜Ｌでは，小さな電位井戸８が形成されており，比較的少ない量の信号電荷しか蓄積できない。
【００２５】
この実施例においては，撮像時に設定されるＩＳＯ感度と関連づけて駆動パターンを決定している。すなわち，撮像時にＩＳＯ100が設定される場合には，電位井戸に蓄積される信号電荷の量が比較的多くなると考えられるので，比較的大きな電位井戸が形成されるような駆動パターンＡ〜Ｄの中から，線傷が少なくなるような駆動パターンが決定される。撮像時にＩＳＯ200が設定される場合には，電位井戸８に蓄積される信号電荷の量は通常の量と考えられるので，通常の電位井戸８が形成されるような駆動パターンＥ〜ＨならびにＭおよびＮの中から線傷が少なくなるような駆動パターンが決定される。さらに，撮像時にＩＳＯ400が設定される場合には，電位井戸８に蓄積される信号電荷の量は少ないと考えられるので，小さな電位井戸８が形成されるような駆動パターンＩ〜Ｌの中から線傷が少なくなるような駆動パターンが決定される。撮像時には，設定されたＩＳＯ感度にもとづいて決定されている駆動パターンによってＣＣＤ１の垂直転送路４が駆動させられる。もっとも，電位井戸の大きさを考慮する必要がなければ，駆動パターンＡ〜Ｎの中からもっとも線傷が少なくなるような１つの駆動パターンを撮像時の駆動パターンとして決定してもよい。
【００２６】
図４は，ディジタル・スチル・カメラの電気的構成を示すブロック図である。
【００２７】
この実施例によるディジタル・スチル・カメラにおいては，ディジタル・スチル・カメラが製造される工場において上述したように駆動パターンが決定される。決定された駆動パターンがディジタル・スチル・カメラに記憶させられる。まず，ディジタル・スチル・カメラの調整時の動作を説明する。
【００２８】
ディジタル・スチル・カメラの全体の動作は，ＣＰＵ10によって統括される。
【００２９】
ディジタル・スチル・カメラには，二段ストローク・タイプのシャッタ・レリーズ・ボタン11，撮像モードと再生モードとを切り換えるためのモード切り換えスイッチ12およびＩＳＯ感度を設定するためのメニュー・ボタン13が設けられている。これらのボタン等からの出力信号は，ＣＰＵ10に入力する。メニュー・ボタン13が押されることにより，画像表示装置33の表示画面にＩＳＯ感度設定の項目を含むメニューが表示される。表示されたメニューを用いてISO感度が設定される。必要に応じて，ディジタル・スチル・カメラには，カーソルを動かすための上下左右の矢印が押下可能に形成されている上下左右ボタン，ＯＫボタンなどが設けられているのはいうまでもない。
【００３０】
さらに，ディジタル・スチル・カメラには，パーソナル・コンピュータ等と接続するためのＵＳＢ（Universal Serial Bus）インターフェイス31が含まれている。さらに，ディジタル・スチル・カメラには，駆動パターン等を記憶するための不揮発性メモリ40も含まれている。
【００３１】
ディジタル・スチル・カメラには，上述したＣＣＤ１が設けられている。このＣＣＤ１は，タイミング・ジェネレータ16から与えられる垂直転送パルス，水平転送パルス，ゲート・パルス等によって駆動される。タイミング・ジェネレータ16は，クロック・パルス切り換え回路17から出力されるクロック・パルスにもとづいてＣＣＤ１を駆動する。上述したように，様々な駆動パターンにより基準被写体が撮像されるようにＣＣＤ１が駆動される。
【００３２】
ＣＣＤ１の前方には絞り21および撮像レンズ22が設けられている。絞り21は，モータ・ドライバ14によって，所望の絞り値となるように駆動される。また，撮像レンズ22は，モータ・ドライバ15によって，ＣＣＤ１の受光面上に被写体像が結像するように位置決めされる。
【００３３】
モード切り換えスイッチ12により撮像モードが設定されると，被写体が撮像され，被写体像を表す映像信号がＣＣＤ１から出力される（カメラ・アングルを決定するための動画を表示するための映像信号であり，いわゆるスルー画を表示するための映像信号の出力）。スルー画表示のための映像信号は，ＣＤＳ（相関二重サンプリング）増幅回路24に入力し，相関二重サンプリングが行われて，アナログ／ディジタル変換回路25に入力する。映像信号は，アナログ／ディジタル変換回路25においてディジタル画像データに変換される。
【００３４】
画像データは，画像入力コントローラ28を介して画像信号処理回路29に入力し，ガンマ補正などの所定の信号処理が行われる。信号処理された画像データがビデオ／ＬＣＤエンコーダ32に与えられることにより，画像表示装置33の表示画面上に被写体像（スルー画）が表示される。
【００３５】
シャッタ・レリーズ・ボタンの第一段階の押下があると，上述のようにして得られた画像データは，ＡＦ検出回路34に入力する。ＡＦ検出回路34において，入力した画像データから高周波数成分が抽出され，合焦制御データが生成される。生成された合焦制御データは，ＣＰＵ10に入力し，撮像レンズ22の位置が制御される。画像データは，ＡＥ／ＡＷＢ／左右差検出回路35にも入力する。このＡＥ／ＡＷＢ／左右差検出回路35において，自動露出調整のための輝度データが生成される。生成された輝度データは，ＣＰＵ10に入力し，ＣＰＵ10によって，被写体像が適切な明るさとなるように絞り21の絞り値およびＣＣＤ23のシャッタ速度が制御される。また，ＡＥ／ＡＷＢ／左右差検出回路35において，白バランス調整も行われる。
【００３６】
シャッタ・レリーズ・ボタンの第二段階の押下があると，様々な駆動パターンのうちの一つの駆動パターンによってＣＣＤ１の垂直転送路が駆動させられる。垂直転送路が駆動させられたことにより，ＣＣＤ１から映像信号が出力される。ＣＣＤ１から出力した映像信号は，ＣＤＳ増幅回路24に入力して，アナログ／ディジタル変換回路25に入力する。アナログ／ディジタル変換回路25において変換されたディジタル画像データは画像入力コントローラ28に入力する。
【００３７】
画像入力コントローラ28に入力した画像データは，メモリ36に与えられ，一時的に記憶される。メモリ36から画像データが読み出されてシェーディング補正回路39に入力する。画像データは，シェーディング補正回路39においてシェーディング補正されて再びメモリ36に与えられ，記憶される。画像データは，メモリ36から読み出されて圧縮処理回路30に入力し，圧縮処理回路30においてデータ圧縮される。データ圧縮された画像データがメモリ・コントローラ37の制御のもとにメモリ・カード38に記録される。
【００３８】
モード切り換えスイッチ12により再生モードが設定されると，メモリ・カード38に記録されている画像データが読み取られる。読み取られた画像データは，ビデオ／ＬＣＤエンコーダ32を介して画像表示装置33に与えられる。画像表示装置33の表示画面に，メモリ・カード38に記録されている画像データによって表される画像が表示される。
【００３９】
表示された画像から線傷の数および位置が検出される。検出された線傷および位置が不揮発性メモリ40に記録される。
【００４０】
次に，同様にして基準被写体が撮像され，駆動パターンが変えられて映像信号がＣＣＤ１から読み出される。得られた映像信号にもとづいて得られる画像の中から駆動パターンに対応して線傷および傷位置が検出され，不揮発性メモリ40に記憶されることなる。そして，上述したように，ＩＳＯ感度ごとに適した駆動パターンが決定し，不揮発性メモリ40に記憶される。
【００４１】
ユーザがディジタル・スチル・カメラを用いて撮像する場合には，メニュー・ボタンを用いてＩＳＯ感度が設定される。被写体がＣＣＤ１によって撮像されると，設定されたＩＳＯ感度にもとづいて決定されている駆動パターンとなるように，ＣＣＤ１の垂直転送路４がタイミング・ジェネレータ16から出力される垂直転送パルスφＶ１〜φＶ４により駆動させられる。上述したのと同様に，シャッタ・レリーズ・ボタンの押下にもとづいて得られた画像データがメモリ・カード38に記録されることとなる。
【００４２】
図５は，ディジタル・スチル・カメラの製造時に駆動パターンを決定する処理手順を示すフローチャートである。上述したように，駆動パターンは，Ａ〜Ｎまでの14パターンであるが，これらの14パターンに限らないのはいうまでもない。
【００４３】
基準被写体が撮像の撮像が繰り返され，駆動パターンが変えられて垂直転送路が駆動させられ，駆動パターンごとの被写体像が得られる（ステップ52）。駆動パターンごとに被写体像の線傷が算出され，その傷位置が検出される（ステップ53）。
【００４４】
駆動パターンＡ〜Ｄのうち，最小の線傷が得られる駆動パターンが検出される（ステップ54）。検出された駆動パターンが，撮像時にＩＳＯ100が設定された場合の駆動パターンとして決定されて傷位置とともに記憶される（ステップ55）。
【００４５】
同様に，駆動パターンＥ〜Ｈ，Ｍ，Ｎのうち，最小の線傷が得られる駆動パターンが検出される（ステップ56）。検出された駆動パターンが，撮像時にＩＳＯ200が設定された場合の駆動パターンとして決定されて傷位置とともに記憶される（ステップ57）。
【００４６】
さらに，駆動パターンＩ〜Ｌのうち，最小の線傷が得られる駆動パターンが検出される（ステップ58）。検出された駆動パターンが，撮像時にＩＳＯ400が設定された場合の駆動パターンとして決定されて傷位置とともに記憶される（ステップ59）。
【００４７】
このようにして，ＩＳＯ感度ごとに適した駆動パターンが，ディジタル・スチル・カメラの製造時にＩＳＯ感度に対応して傷位置とともにディジタル・スチル・カメラに記憶させられる。
【００４８】
図６は，駆動パターン等が記憶されているディジタル・スチル・カメラを用いてユーザが撮像する場合の処理手順を示すフローチャートである。以下の処理においては，ディジタル・スチル・カメラは，ＩＳＯ感度100，200または400が設定できるものであるが，その他のＩＳＯ感度が設定できるものでもよいのはいうまでもない。
【００４９】
ユーザによってＩＳＯ感度が設定され，被写体が撮像される（ステップ62）。
【００５０】
設定されたＩＳＯ感度がＩＳＯ100であれば（ステップ62でＹＥＳ），上述のように記憶されているＩＳＯ100用の駆動パターンでＣＣＤ１の垂直転送路４が駆動させられる（ステップ63）。
【００５１】
設定されたＩＳＯ感度がＩＳＯ200であれば（ステップ64でＹＥＳ），上述のように記憶されているＩＳＯ200用の駆動パターンでＣＣＤ１の垂直転送路４が駆動させられる（ステップ65）。
【００５２】
設定されたＩＳＯ感度がＩＳＯ400であれば（ステップ66でＹＥＳ），上述のように記憶されているＩＳＯ400用の駆動パターンでＣＣＤ１の垂直転送路４が駆動させられる（ステップ67）。
【００５３】
設定されたＩＳＯ感度が100，200または400のいずれでも無いと判定された場合には（ステップ66でＮＯ），エラー処理が行われる（ステップ68）。
【００５４】
垂直転送路４が駆動させられることにより，ＣＣＤ１から映像信号が得られ，上述のように，被写体像を表す画像データがメモリ・カード38に記録される。メモリ・カード38に記録される画像データによって表される被写体像は線傷の少ないものとなっている。
【００５５】
また，駆動パターンに応じて線傷の位置も記憶されているから，その記憶されている線傷の位置の画像部分を補正することもできる。
【図面の簡単な説明】
【００５６】
【図１】ＣＣＤの模式図である。
【図２】信号電荷が転送される様子を示している。
【図３】垂直転送路の駆動パターンを示している。
【図４】ディジタル・スチル・カメラの電気的構成を示すブロック図である。
【図５】駆動パターン決定処理手順を示すフローチャートである。
【図６】撮像処理手順を示すフローチャートである。
【符号の説明】
【００５７】
１  ＣＣＤ
２  フォトダイオード
４  垂直転送路
５  水平転送路
10  ＣＰＵ
16  タイミング・ジェネレータ
40  不揮発性メモリ
【図１】
2007312264.tif 000003
【図２】
2007312264.tif 000004
【図３】
2007312264.tif 000005
【図４】
2007312264.tif 000006
【図５】
2007312264.tif 000007
【図６】
2007312264.tif 000008